(57)【要約】【課題】信号変換装置を小型化した上で組立性を向上し、２種類の光ファイバーケーブルの接続を可能にする。【解決手段】信号変換装置であるメディアコンバータ１０をメインユニット１１及びロアケース１２を積層結合して構成し、設置面積を減少する。また、メインユニット１１は、メインケース１３とアンダープレート１５で形成される空間内部に変換基板１４を収納すると共に、変換基板１４のレセプタクル１４ｂをメインケース１３の周囲に形成した凹部１３ａに配置する。ロアケース１２内で余長処理する光ファイバーケーブルは、凹部１３ａを介してレセプタクル１４ｂと接続し、余長処理を行わない光ファイバーケーブルは、外部から凹部１３ａを介してレセプタクル１４ｂと接続する。【選択図】図１
2007058246.tif 000002
【特許請求の範囲】
【請求項１】
光信号の電気信号への変換、及び／又は、電気信号の光信号への変換を行う変換手段と、前記光信号を伝送する光信号線の接続部と、光信号線の収納部とを備える信号変換装置において、
前記変換手段を覆う第１筐体と、
該第１筐体に積層結合されており、前記収納部を有する第２筐体と
を備え、
前記第１筐体は、平面視で略矩形状であり、周囲の一角部を切り欠いた形状の凹部を形成しており、
前記光信号線の接続部は、前記凹部に配置してあることを特徴とする信号変換装置。
【請求項２】
光信号の電気信号への変換、及び／又は、電気信号の光信号への変換を行う変換手段と、前記光信号を伝送する光信号線の接続部と、光信号線の収納部とを備える信号変換装置において、
前記変換手段を覆う第１筐体と、
該第１筐体に積層結合されており、前記収納部を有する第２筐体と
を備え、
前記第１筐体と第２筐体とは分離可能であり、
前記第１筐体は、平面視で略矩形状であり、周囲の一角部を切り欠いた形状の凹部を形成しており、
前記光信号線の接続部は、前記凹部に配置してあることを特徴とする信号変換装置。
【請求項３】
電気信号を伝送する電気信号線の接続部が、前記第１筐体の前記凹部を除いた外周側面に設けてある請求項１又は２に記載の信号変換装置。
【請求項４】
前記第２筐体は、平面視で前記第１筐体に対して前記凹部を除いて同形状にしてある請求項１乃至３のいずれかに記載の信号変換装置。
【請求項５】
前記凹部に装着される前記接続部の保護カバーを更に備える請求項１乃至４のいずれかに記載の信号変換装置。
【請求項６】
前記保護カバーは、光信号線の挿通溝を備える請求項５に記載の信号変換装置。
【請求項７】
前記第１筐体は、
前記第２筐体との結合側に摺動孔を備え、
前記第２筐体は、
前記摺動孔に挿入した状態で摺動するように突設してある結合突起を備え、
前記結合突起は、
前記摺動孔の端部と係合するように突出してある係合部を備える請求項１乃至６のいずれかに記載の信号変換装置。
【請求項８】
前記摺動孔は、屈曲部を備える請求項７に記載の信号変換装置。
【請求項９】
前記第２筐体は、第１筐体と結合する面に対向する面に、光信号線を取り入れ可能な大きさの孔を備える請求項１乃至８のいずれかに記載の信号変換装置。
【発明の詳細な説明】
【技術分野】
【０００１】
本発明は、光信号の電気信号への変換、及び／又は、電気信号の光信号への変換を行うものであって、特に、寸法を小型化すると共に光信号線の接続性等を向上させた信号変換装置に関する。
【背景技術】
【０００２】
従来、光信号と電気信号との信号変換可能にしている信号変換装置には種々のものが存在している。この信号変換装置には、光信号線である光ファイバーケーブル及び電気信号線であるＬＡＮケーブルが接続され、光信号及び電気信号を入出力している。
【０００３】
図９は、従来の一般的な信号変換装置１であり、ロアケース３の内部３ａに、光信号と電気信号との変換を行う矩形の変換基板４を収めると共に、その横方には、テンションメンバＴＭ付きの光ファイバーケーブルＨ１の心線Ｈ１ａを巻回状態で収納する余長処理用の収納部５を取り付け、上方からアッパーケース２を被せるようにしている。変換基板４には心線Ｈ１ａの端末に融着したコネクタＣ１を接続するレセプタクル４ａを一角部付近に設けると共に、ＬＡＮケーブルＬを接続するＬＡＮポート４ｂを設けている。
【０００４】
収納部５は、光ファイバーケーブルＨ１が上述した箇所のレセプタクル４ａに接続された状態で屈曲時の光信号の伝達性を維持できるように、心線Ｈ１ａの屈曲半径が２０ｍｍ以上となるような寸法に設定されており、また、ロアケース３も、このような寸法の収納部５を収めることができる大きさを確保している。
【０００５】
なお、光信号線には、図９のテンションメンバＴＭ付きの光ファイバーケーブルＨ１以外にも、テンションメンバを有しない図１０に示す同軸タイプの光ファイバーケーブルＨ２も存在する。このような同軸タイプの光ファイバーケーブルＨ２を信号変換装置に接続する場合、図９の信号変換装置１は外面にレセプタクルを配置していないことに加え、光ファイバーケーブルＨ２が余長処理する必要もないため、信号変換装置１を使用するのは不適当である。よって、同軸タイプの光ファイバーケーブルＨ２には、図１０に示すレセプタクル６ａを外面に配置し内部に収納部を設けていない型の信号変換装置６を使用することが多い。
【発明の開示】
【発明が解決しようとする課題】
【０００６】
信号変換装置１は、上述したように収納部５を所要の寸法以上に設定する必要がある上に、光ファイバーケーブルＨ１の心線Ｈ１ａとレセプタクル４ａとの接続性も確保せねばならず、装置全体の寸法が大きくならざるを得ない問題がある。このように装置全体寸法が大きくなると、信号変換装置１を取り付ける壁等の取付箇所に制限を受けることが多くなり、また、ケーブル接続作業及び装置の取扱性も悪化する。
【０００７】
また、光ファイバーケーブルＨ１の信号変換装置１への接続作業は、アッパーケース２を解放して変換基板４を露出させた状態で行うため、心線Ｈ１ａを収納部５に巻回する際や、心線Ｈ１ａの端末にコネクタＣ１を融着する際に、作業者が露出した変換基板４に接触しやすくなり、また、実際に接触が起こった場合は、接触を原因とする不具合が変換基板４に生じるおそれがある。
【０００８】
さらに、信号変換装置１は、図１０に示す同軸タイプの光ファイバーケーブルＨ２に対応していないため、接続対象の光信号線の種類が限定されると云う問題もあり、同軸タイプの光ファイバーケーブルＨ２を接続する場合は、図１０のタイプの信号変換装置６が必要となる。その結果、信号変換装置は計２種類準備する必要があり、２種類の信号変換装置の製造に係るコスト負担も大きくなる問題がある。
【０００９】
本発明は、斯かる問題に鑑みてなされたものであり、変換基板と光ファイバーケーブルの収納部とを積層配置にすると共に変換基板を包含するように覆うことで、装置寸法の小型化、及び、接触による不具合発生を防止した信号変換装置を提供することを目的とする。また、光ファイバーケーブルの接続部の配置等を工夫することで２種類の光信号線の接続に対応できる信号変換装置を提供することを目的とする。さらに、装置自体を小型化しても装置の組立性を確保すると共に、光信号線の噛み込み等の不具合を防止した信号変換装置を提供することを目的とする。
【課題を解決するための手段】
【００１０】
本発明に係る信号変換装置は、光信号の電気信号への変換、及び／又は、電気信号の光信号への変換を行う変換手段と、前記光信号を伝送する光信号線の接続部と、光信号線の収納部とを備える信号変換装置において、前記変換手段を覆う第１筐体と、該第１筐体に積層結合されており、前記収納部を有する第２筐体とを備え、前記第１筐体は、平面視で略矩形状であり、周囲の一角部を切り欠いた形状の凹部を形成しており、前記光信号線の接続部は、前記凹部に配置してあることを特徴とする。
また、本発明に係る信号変換装置は、光信号の電気信号への変換、及び／又は、電気信号の光信号への変換を行う変換手段と、前記光信号を伝送する光信号線の接続部と、光信号線の収納部とを備える信号変換装置において、前記変換手段を覆う第１筐体と、該第１筐体に積層結合されており、前記収納部を有する第２筐体とを備え、前記第１筐体と第２筐体とは分離可能であり、前記第１筐体は、平面視で略矩形状であり、周囲の一角部を切り欠いた形状の凹部を形成しており、前記光信号線の接続部は、前記凹部に配置してあることを特徴とする。
【００１１】
本発明にあっては、変換手段を覆う第１筐体と、収納部を有する第２筐体とを積層結合させて信号変換装置を構成しているので、従来に比べて平面視方向の面積を大幅に減少でき、装置の設置性、取扱性等を大幅に向上できる。また、変換基板等の変換手段は、前記第１筐体により覆われているため、光信号線の接続等に係る一連の作業中でも露出することがなくなり、光信号線の接続を行う作業者との接触を皆無にし、接触による変換手段の不具合発生を確実に防止できる。さらに、第１筐体に凹部を形成し、この凹部に光信号線の接続部を位置させているため、装置内部に収容される光信号線は、この凹部を介して接続部へ接続でき、一方、装置内部に収容しない光信号線も、周囲にある凹部を介して接続部へ接続できるため、本発明に係る信号変換装置は２種類の光信号線の接続に対応できる。また、接続されたコネクタは凹部に収まるため、コネクタが外方に突出することもなく、装置の外観を整ったものにできる。なお、凹部は第１筐体の一つの角部から周辺に沿って中程まで連続させると共に、この中程の位置に接続部を配置すれば、光信号線の所要の屈曲半径を確保でき好適である。
【００１２】
本発明に係る信号変換装置は、電気信号を伝送する電気信号線の接続部が、前記第１筐体の前記凹部を除いた外周側面に設けてあることを特徴とする。
また、本発明に係る信号変換装置は、前記第２筐体は、平面視で前記第１筐体に対して前記凹部を除いて同形状にしてあることを特徴とする。
【００１３】
本発明に係る信号変換装置は、前記凹部に装着される前記接続部の保護カバーを更に備えることを特徴とする。
本発明にあっては、保護カバーを装着するので、接続部、及び、この接続部に接続されたコネクタ等を確実に保護できる。
【００１４】
本発明に係る信号変換装置は、前記保護カバーが、光信号線の挿通溝を備えることを特徴とする。
本発明にあっては、保護カバーに挿通溝を設けているので、装置内部に収納しないタイプの光信号線を接続する場合にも、前記挿通溝に光信号線を挿通することで、干渉することなく確実に保護カバーを装着できる。
【００１５】
本発明に係る信号変換装置は、前記第１筐体が、前記第２筐体との結合側に摺動孔を備え、前記第２筐体は、前記摺動孔に挿入した状態で摺動するように突設してある結合突起を備え、前記結合突起は、前記摺動孔の端部と係合するように突出してある係合部を備えることを特徴とする。
本発明にあっては、第１筐体に摺動孔、第２筐体に係合突起を設けることで、工具等を用いることなく容易に第１筐体及び第２筐体を結合でき、光信号線の余長処理、接続、装置の組立等に係る各種作業を短時間で効率的に行うことができる。
【００１６】
本発明に係る信号変換装置は、前記摺動孔が、屈曲部を備えることを特徴とする。
本発明にあっては、前記摺動孔が屈曲部を備えることで第１筐体を第２筐体へ少なくとも２方向にスライドさせて結合することができる。即ち、第１筐体と第２筐体とを積層結合することで、第２筐体に収納された光信号線を第１筐体の接続部に接続する際に、この光信号線が第１筐体と第２筐体との間に噛み込まれるおそれが生じる。しかし、前記のように少なくとも２方向にスライドさせることで噛み込まれる状態を回避して結合できる。  また、少なくとも２方向にスライドさせて結合させることで、第１筐体と第２筐体とを分離させる場合も２方向にスライドすることとなり、第１筐体が不意に第２筐体から離脱するという不具合も防止でき、結合の確実性も向上できる。なお、摺動孔は、複数の屈曲部を設けて２方向以上スライドさせて第１筐体と第２筐体とを結合するようにしてもよく、この場合、一段と光ファイバーケーブルの心線の噛み込みを防止できると共に、結合状態からの離脱を確実に防止できる。
【００１７】
本発明に係る信号変換装置は、前記第２筐体は、第１筐体と結合する面に対向する面に、光信号線を取り入れ可能な大きさの孔を備えることを特徴とする。
【発明の効果】
【００１８】
以上に詳述した如く、本発明にあっては、変換基板を内蔵するメインケースと光ファイバーケーブルを収納するロアケースを積層結合しているので、従来の信号変換装置に比べて取付面積を大幅に低減でき、作業性及び取扱性等を向上できる。また、変換基板は露出していないため、作業中の接触による変換基板の不具合発生を確実に防止できる。
【００１９】
本発明にあっては、メインケースに設けた凹部にレセプタクルを配置しているので、レセプタクルに接続される光ファイバーケーブルのコネクタもメインメース内に収めることができ、接続されたコネクタが信号変換装置より突出することもなく、コネクタの接続状態でも小型化された装置寸法を維持でき、光ファイバーケーブルの所要の曲率半径も確保できる。
本発明にあっては、保護カバーを装着するので、レセプタクル及び、レセプタクルに接続されたコネクタ等を確実に保護できる。
本発明にあっては、保護カバーに挿通溝を設けているので、内部に収容せずに接続される同軸ケーブルタイプの光ファイバーケーブルと干渉することなく、保護カバーを装着できる。
【００２０】
本発明にあっては、メインユニットに摺動孔、ロアケースには係合突起を設けることで、工具等を用いることなく容易に各種作業を行え、作業効率を向上できる。
本発明にあっては、摺動孔が屈曲部を有しているため、メインユニット及びロアケースの結合が脱落するのを確実に防止できると共に、結合に係るスライド方向が少なくとも２方向以上になるため、ロアケースに収容した光ファイバーケーブルがメインユニットとロアケースとの間に噛み込まれる等の不具合も防止できる。
本発明にあっては、第２筐体は、第１筐体と結合する面に対向する面に、光信号線を取り入れ可能な大きさの孔を備えることで、該面側から光信号線を取り入れることができる。
【発明を実施するための最良の形態】
【００２１】
以下、本発明をその実施の形態を示す図面に基づいて説明する。図１は、本発明の実施の形態に係る信号変換装置であるメディアコンバータ１０の分解斜視図である。メディアコンバータ１０は、第１筐体を形成するメインケース１３及びアンダープレート１５の内部に変換手段である変換基板１４を収納したメインユニット１１と、第２筐体に該当するロアケース１２とを積層結合して構成されている。
【００２２】
メインケース１３は、変換基板１４を上方から覆うことができる寸法を有し、平面視で略矩形状の周囲の一角部を切り欠いた形状をしており、この一角部に長手方向に沿って中央付近まで切り欠いた形状の凹部１３ａを形成している。凹部１３ａは、角部方向を向いた中央付近の一端面１３ｂに、光信号線である光ファイバーケーブルの接続用の第１開口１３ｃを設けている。また、メインケース１３は、一方の短辺側の一側面１３ｄに、ＬＡＮケーブルＬの接続用の第２開口１３ｅと、後述する変換基板１４に設けられた設定スイッチ１４ｄの操作用の第３開口１３ｆを設けている。
【００２３】
上述のメインケース１３の凹部１３ａには、保護カバー２０を装着するようにしている。保護カバー２０は、メインケース１３の凹部１３ａの対角位置の角部と略同等の外形に形成されており、凹部１３ａに装着されることで、メインケース１３の全周が同等に連続するようにしている。また、保護カバー２０は、メインケース１３の一側面１３ｄと同じ側の一面２０ａの端辺２０ｂを切り欠いて、同軸タイプの光ファイバーケーブル用の挿通溝２０ｃを形成している。
【００２４】
変換基板１４は、メインケース１３の平面視と略同等の一部が凹んだ形状の回路基板部１４ａ上に各種電子及び電気部品を実装しており、本実施形態では光信号及び電気信号を相互に変換可能にしている。変換基板１４は、メインケース１３の第１開口１３ｃに対応する箇所に光ファイバーケーブルの接続部であるレセプタクル１４ｂを設けており、また、第２開口１３ｅに対応する箇所にはＬＡＮポート１４ｃを、第３開口１３ｆに対応する箇所には、設定スイッチ１４ｄを夫々設けている。
【００２５】
アンダープレート１５は、平面視でメインケース１３と同形であり、周囲に周壁１５ａを立設してメインケース１３と嵌合されるようにしている。また、底板部１５ｂには、計２箇所の摺動孔１６を設けている。
【００２６】
摺動孔１６は、図２に示すように、長辺方向の一方向から他方向へ延在する太幅部１６ａの他方向側の端部に短辺方向へ延在する連結部１６ｂを連続させ、この連結部１６ｂの一端部に長辺方向の他方向へ延在する細幅部１６ｃを連結させて、全体では２回屈曲させた形状にしている。また、図２中の摺動孔１６の右辺及び上辺側には摺動孔１６に沿った形状の窪部１７を底板部１５ｂに形成している。
【００２７】
なお、図３（ｂ）に示すように、摺動孔１６の窪部１７を形成した箇所は底板部１５ｂの下面１５ｃより突出している。また、底板部１５ｂは、下面１５ｃ側でメインケース１３の凹部１３ａに対応する箇所の短辺側付近に、後述するロアケース１２に収納される光ファイバーケーブルＨ１の挿通用の切欠部１５ｄを形成している。
【００２８】
図３（ａ）（ｂ）に示すメインユニット１１は、上述したアンダープレート１５の底板部１５ｂに変換基板１４を載置すると共にメインケース１３で覆い、これらメインケース１３とアンダープレート１５を嵌合することで構成されている。このように変換基板１４を内部に収めた状態では、レセプタクル１４ｂがメインケース１３の第１開口１３ｃに配置され、ＬＡＮポート１４ｃは第２開口１３ｅに、設定スイッチ１４ｄは第３開口１３ｆに夫々配置されており、変換基板１４自体は、メインケース１３及びアンダープレート１５で包み覆われて外部へ露出していない。
【００２９】
一方、ロアケース１２は、図１に示すように平面視で矩形状であり、周囲に周壁１２ａを立設し、内部１２ｂに光ファイバーケーブルＨ１を収納するようにしている。また、周壁１２ａは、対向する短辺側の一方の角部付近を切り欠いて光ファイバーケーブルＨ１の引込部１２ｃを夫々形成し、これら引込部１２ｃに対応する内部１２ｂ側には、ケーブル保持部材１８−１及びテンションメンバ保持部材１８−２を取り付けている。
【００３０】
これらケーブル保持部材１８−１及びテンションメンバ保持部材１８−２の横方には、光ファイバーケーブルＨ１を周回規制して余長処理を行う多数のガイド突起１２ｄを突設している。さらに、ロアケース１２は、メインユニット１１と外周位置を合致させて積層した状態で、アンダープレート１５の計２箇所の摺動孔１６の細幅部１６ｃの端部１６ｄと対向する箇所に結合突起１９を底板１２ｅから突設している。また、ロアケース１２は、第１筐体と結合する面に対向する面である底板１２ｅに、光信号線を取り入れ可能な大きさの孔１２ｆ及び１２ｇを備える。
【００３１】
結合突起１９は、図４に示すように、全体が逆Ｌ字状であり、垂直部１９ａの上端より水平方向に係合部１９ｂを突出させている。垂直部１９ａは幅Ｗ１を、図２のアンダープレート１５の摺動孔１６の細幅部１６ｃの幅に対して所要のクリアランスを確保し挿入状態で摺動できる寸法に設定している。一方、係合部１９ｂの幅Ｗ２は垂直部１９ａの幅Ｗ１より大きく、摺動孔１６の太幅部１６ａの幅に対して所要のクリアランスを確保して、結合突起１９が太幅部１６ａを通過して挿入できる寸法にしている。なお、係合部１９ｂは、上記のような幅寸法であるため、一方の端部１９ｃを垂直部１９ａの端辺より突出させている。
【００３２】
次に、メディアコンバータ１０へ光ファイバーケーブルを接続する手順について説明する。なお、メディアコンバータ１０は、テンションメンバＴＭ付きの光ファイバーケーブルＨ１と、テンションメンバＴＭを有しない同軸タイプの光ファイバーケーブルＨ２との接続を可能にしている。
【００３３】
先ず、テンションメンバＴＭ付きの光ファイバーケーブルＨ１を接続する場合は、光ファイバーケーブルＨ１の端末側の被覆樹脂を除去して、テンションメンバＴＭ及び心線Ｈ１ａを露出している。また、メディアコンバータ１０は、図５に示すように、メインユニット１１とロアケース１２とを分離した状態にしておき、先にロアケース１２のみをメディアコンバータ１０の取付箇所となる建物の壁等にネジＮで取り付けておく。なお、この状態では、メインユニット１１には、保護カバー２０は装着していない。
【００３４】
次に、光ファイバーケーブルＨ１を心線Ｈ１ａの露出側から、ロアケース１２の一方の引込部１２ｃから内部１２ｂへ引き込み、ケーブル保持部材１８−１で光ファイバーケーブルＨ１の被覆樹脂部分を保持すると共に、テンションメンバ保持部材１８−２で所要長さに切断したテンションメンバＴＭの端部を保持している。また、心線Ｈ１ａの端末に接続用のコネクタＣ１を融着してから、多数のガイド突起１２ｄに挿通して所要回数周回させて心線Ｈ１ａの余長を処理している。
【００３５】
上記のように余長処理を行った後、メインユニット１１をロアケース１２の上方から被せて結合している。このように被せることでロアケース１２の周壁１２ａの上端がメインユニット１１のアンダープレート１５の下面１５ｃと当接し、この当接状態では、図６（ａ）に示すように、メインユニット１１の摺動孔１６の太幅部１６ａをロアケース１２の結合突起１９に嵌め合わせて、結合突起１９を摺動孔１６に挿入した位置関係にしている。この状態からメインユニット１１を図中の矢印（１）で示すように、左方向且つ下方向へスライドさせている。
【００３６】
前記スライドにより、結合突起１９は摺動孔１６内を摺動し、図６（ｂ）に示すように、係合部１９ｂが摺動孔１６の窪部１７に係合した状態となり、メインユニット１１は一時的にロアケース１２に嵌合されて安定した状態となっている。
【００３７】
上記状態で、心線Ｈ１ａの端末のコネクタＣ１を左側の凹部１３ａへ移動させてレセプタクル１４ｂと接続させると共に、心線Ｈ１ａがメインユニット１１の切欠部１５ｄを通過するように整線している。この状態から図中の矢印（２）に示すように、メインユニット１１を右方向から下方向へ連続的にスライドさせて、結合突起１９を摺動孔１６の連結部１６ｂから細幅部１６ｃへ摺動させている。
【００３８】
前記スライドにより、メインユニット１１は、図６（ｃ）及び図７に示すように、細幅部１６ｃの端部１６ｄの窪部１７に結合突起１９の係合部１９ｂが係合し、ロアケース１２へ積層結合されている。この積層結合した状態は、細幅部１６ｃは、結合突起１９の垂直部１９ａの幅に合致したクリアランスを有すると共に、結合突起１９の係合部１９ｂが摺動孔１６の窪部１７と右辺側と上辺側の二方向で係合し、しかも、このような係合箇所が計２箇所存在するため、メインユニット１１及びロアケース１２は確実に結合されている。
【００３９】
上記結合後、メインユニット１１の凹部１３ａに保護カバー２０を装着して、レセプタクル１４ｂ及び接続されたコネクタＣ１を保護している。この後、図１に示すように、電気信号の伝送を行うＬＡＮケーブルＬをＬＡＮポート１４ｃへ接続し、接続作業を短時間で効率的に完了している。
【００４０】
このように、接続作業中は、変換基板１４はメインユニット１１内に位置して露出しないため、作業者が変換基板１４に接触するおそれを解消して、変換基板１４との接触による不具合発生を確実に防止している。また、メインユニット１１とロアケース１２との結合においても、メインユニット１１を複数方向にスライドさせているため、メインユニット１１へ接続される光ファイバーケーブルＨ１の心線Ｈ１ａを、各スライドの間で切欠部１５ｄを通過するように整線できる機会を確保できるため、心線Ｈ１ａはメインユニット１１とロアケース１２との間に噛み込まれるのを防止している。
【００４１】
さらに、組み立てられたメディアコンバータ１０は、メインユニット１１とロアケース１２が積層された状態となっているため、従来のものに比べて大幅に小型化されており、メディアコンバータ１０の固定箇所の選択の自由度及び取扱性等が向上している。
【００４２】
一方、メディアコンバータ１０に接続する光信号線がメインユニット１１のロアケース１２に収容するタイプの光ファイバーケーブルＨ１ではなく、図８に示す同軸タイプの光ファイバーケーブルＨ２を接続する場合、上述した場合と同様に、メディアコンバータ１０をメインユニット１１とロアケース１２とに分離した状態で、先に、ロアケース１２のみを壁等に固定し、図６（ａ）〜（ｃ）に示した手順でメインユニット１１をロアケース１２に積層結合している。
【００４３】
この状態で、光ファイバーケーブルＨ２の端末に取り付けたコネクタＣ２をメインユニット１１のレセプタクル１４ｂに接続している。この接続後、保護カバー２０を凹部１３ａに装着しているが、この際、挿通溝２０ｃに光ファイバーケーブルＨ２を挿通させて干渉することなく、確実に保護カバー２０を装着できるようにしている。この後は、前記と同様に、ＬＡＮケーブルＬを接続して一連の接続作業を完了している。
【００４４】
なお、本発明に係るメディアコンバータ１０は、上述した形態に限定されるものではなく、種々の変形例を適用することが可能である。例えば、凹部１３ａはメインケース１３の他の箇所に形成するようにしてもよく、また、メインユニット１１の摺動孔１６及びロアケース１２の係合突起１９の組数も２組に限定されるものではなく適宜増減させてもよい。また、摺動孔１６は必ずしも、２箇所の屈曲部を設ける必要はなく、所要の結合要件に応じて全体を略Ｌ字状に形成して屈曲部を１箇所のみ、又は、全体を直線形状に形成して屈曲部を設けないようにしてもよい。
【図面の簡単な説明】
【００４５】
【図１】本発明の実施の形態に係るメディアコンバータの分解斜視図である。
【図２】アンダープレートの平面図である。
【図３】メインユニットであり、（ａ）は上面側からの斜視図、（ｂ）は下面側からの斜視図である。
【図４】ロアケースの係合突起の斜視図である。
【図５】メインユニットをロアケースに結合する状態の斜視図である。
【図６】（ａ）（ｂ）（ｃ）は、メインユニットをロアケースにスライドさせて結合する一連の状態を示す概略平面図である。
【図７】図６（ｃ）のＡ−Ａ線における摺動孔付近の断面図である。
【図８】同軸タイプの光ファイバーケーブルを接続する状態のメディアコンバータの概略斜視図である。
【図９】従来の信号変換装置の分解斜視図である。
【図１０】別の従来の信号変換装置の分解斜視図である。
【符号の説明】
【００４６】
１０  メディアコンバータ
１１  メインユニット
１２  ロアケース
１２ｃ  引込部
１２ｄ  ガイド突起
１３  メインケース
１３ａ  凹部
１４  変換基板
１４ｂ  レセプタクル
１５  アンダープレート
１６  摺動孔
１６ａ  太幅部
１６ｂ  連結部
１６ｃ  細幅部
１７  窪部
１８−１  ケーブル保持部材
１８−２  テンションメンバ保持部材
１９  結合突起
１９ｂ  係合部
２０  保護カバー
２０ｃ  挿通溝
Ｈ１  光ファイバーケーブル（テンションメンバ付きタイプ）
Ｈ２  光ファイバーケーブル（同軸タイプ）
【図１】
2007058246.tif 000003
【図２】
2007058246.tif 000004
【図３】
2007058246.tif 000005
【図４】
2007058246.tif 000006
【図５】
2007058246.tif 000007
【図６】
2007058246.tif 000008
【図７】
2007058246.tif 000009
【図８】
2007058246.tif 000010
【図９】
2007058246.tif 000011
【図１０】
2007058246.tif 000012